(57)【特許請求の範囲】
【請求項１】
収納空間とこの収納空間外の空間とを、この収納空間の出し入れ開口を開放可能に塞ぐ戸とこの出し入れ開口上の壁部とによって仕切ってなる収納の構造であって、
前記収納空間を上下に区分する中間棚と、
この中間棚上の空間を前記出し入れ開口の上縁位置において上下に区分する上棚とを有しており、
この上棚の受け部材が、前記収納空間を構成する奥壁、左右側壁、及び前記出し入れ開口上の壁部の内面となる前壁に設けられていると共に、
上棚における、前記前壁と、この前壁に設けられた受け部材と前記奥壁に設けられた受け部材との間に架設される一対の前後補助受け部材と、この前壁との間に間隔を開けてこの一対の前後補助受け部材間に亘る左右補助受け部材とに囲繞された箇所が、前記上棚上の空間に対する出し入れ開放部となっており、
しかも、一対の前後補助受け部材の少なくとも一方と側壁との間に位置される箇所に、追加前後補助受け部材が備えられていると共に、
上棚における、この追加前後補助受け部材と側壁との間に位置される箇所が、上棚の一部をなす蓋板体によって取り外し可能に閉塞された追加開放部となっており、
前記追加開放部の直下において、側壁と中間棚との間に隙間を形成させていることを特徴とする収納構造。
【発明の詳細な説明】
【技術分野】
【０００１】
この発明は、押し入れや、クローゼットなどの収納の構造に関する。
【背景技術】
【０００２】
住宅においては、押し入れの上方にさらに天袋を設けて、収納量を増やす造作がなされている。また、押し入れの中に、さらに枕棚を設けて収納量を増やすようにすることも行われている。しかるに、前者の場合には、それを設けたことによる収納量の増加に必ずしもそれを設けるための施工手間及びコストが見合っているといえない場合もあり、また、後者の場合には、枕棚は押し入れの奥壁によって支持されるため、枕棚の出幅は大きくし難く、したがってかかる枕棚によって収納量を増やすことには自ずと限界がある。
【発明の概要】
【発明が解決しようとする課題】
【０００３】
この発明が解決しようとする主たる問題点は、単一の収納空間内に、天袋と同じように利用可能な収納可能箇所を容易かつ適切に備え付け可能とする点にある。
【課題を解決するための手段】
【０００４】
前記課題を達成するために、この発明にあっては、収納構造を、収納空間とこの収納空間外の空間とを、この収納空間の出し入れ開口を開放可能に塞ぐ戸とこの出し入れ開口上の壁部とによって仕切ってなる収納の構造であって、
前記収納空間を上下に区分する中間棚と、
この中間棚上の空間を前記出し入れ開口の上縁位置において上下に区分する上棚とを有しており、
この上棚の受け部材が、前記収納空間を構成する奥壁、左右側壁、及び前記出し入れ開口上の壁部の内面となる前壁に設けられていると共に、
上棚における、前記前壁と、この前壁に設けられた受け部材と前記奥壁に設けられた受け部材との間に架設される一対の前後補助受け部材と、この前壁との間に間隔を開けてこの一対の前後補助受け部材間に亘る左右補助受け部材とに囲繞された箇所が、前記上棚上の空間に対する出し入れ開放部となっているものとした。
【０００５】
かかる構成によれば、上棚は受け部材、前後補助受け部材及び左右補助受け部材によって安定的に支持され、上棚上への物品の納め入れ、及び納めた物品のそこからの取り出しは、出し入れ開口側に形成された出し入れ開放部を利用して円滑になすことができる。
【０００６】
前記一対の前後補助受け部材の少なくとも一方と側壁との間に位置される箇所に、追加前後補助受け部材を備えさせると共に、
上棚における、この追加前後補助受け部材と側壁との間に位置される箇所を、上棚の一部をなす蓋板体によって取り外し可能に閉塞された追加開放部としておくこともある。
【０００７】
この場合にはさらに、追加開放部の直下において、側壁と中間棚との間に隙間を形成させるようにしておくこともある。
【０００８】
このようにした場合、前記追加開放部を利用して、収納状態において高さを持つ物品の上側を上棚上に逃してこのような物品を収納空間の側壁側に無理なく納めるようにすることができる。また、前記追加開放部の直下において、側壁と中間棚との間に隙間を形成させておけば、収納状態において収納空間の底から上棚までの寸法以上の高さを持つ物品も収納空間の側壁側に無理なく納めることができる。
【発明の効果】
【０００９】
この発明によれば、収納空間の出し入れ開口の上方に、上棚によって天袋と同じように利用可能な収納可能箇所を容易かつ適切に備えさせることができる。
【図面の簡単な説明】
【００１０】
【図１】図１は実施の形態にかかる収納構造（参考例）の要部を示した斜視構成図である。
【図２】図２は実施の形態にかかる収納構造（参考例）の縦断面図である。
【図３】図３は図２におけるＡ−Ａ線位置での断面図である。
【図４】図４は実施の形態にかかる収納構造（参考例）の要部分離斜視構成図である。
【図５】図５は図１〜図４に示される収納構造（参考例）の構成の一部を変更してなる実施の形態にかかる収納構造の要部を示した斜視構成図である。
【図６】図６は図５に示される実施の形態にかかる収納構造の要部分離斜視構成図である。
【発明を実施するための形態】
【００１１】
以下、図１〜図６に基づいて、この発明の典型的な実施の形態について、説明する。この実施の形態にかかる収納構造は、押し入れや、クローゼットなどの住宅などの収納に利用されるものである。
【００１２】
具体的には、かかる収納構造は、収納空間１とこの収納空間１外の空間２とを、この収納空間１の出し入れ開口３を開放可能に塞ぐ戸４（引き戸や開き戸などの戸）とこの出し入れ開口３上の壁部５とによって仕切ってなる収納に適用されるものである。図示の例では、前記出し入れ開口３を引き戸４ａにより閉塞するようにした例を示している。
【００１３】
かかる収納構造は、前記収納空間１を上下に区分する中間棚６と、この中間棚６上の空間を前記出し入れ開口３の上縁位置において上下に区分する上棚７と、かかる上棚７の受け部材８とを備えてなる。
【００１４】
かかる上棚７の受け部材８は、前記収納空間１を構成する奥壁１ａ、左右側壁１ｂ、１ｂ、及び前記出し入れ開口３上の壁部５の内面となる前壁１ｃに設けられている。
【００１５】
それと共に、前記上棚７における、前記前壁１ｃと、この前壁１ｃに設けられた受け部材８と前記奥壁１ａに設けられた受け部材８との間に架設される一対の前後補助受け部材９、９と、この前壁１ｃとの間に間隔を開けてこの一対の前後補助受け部材９、９間に架設される左右補助受け部材８とに囲繞された箇所が、前記上棚７上の空間１’に対する出し入れ開放部１１となっている。
【００１６】
図示の例では、前記受け部材８を、その長さ方向に直交する向きの断面を略Ｌ字状とする棒状体によって構成させている。すなわち、受け部材８は、縦部分８ａと、この縦部分８ａの下端から水平方向に突き出す横部分８ｂとを有し、縦部分８ａにおける横部分８ｂの突きだし側と反対の背面を前記奥壁１ａなどに密着させた状態でこの奥壁１ａなどに止着されている。
【００１７】
また、図示の例では、前記一対の前後補助受け部材９、９を、その長さ方向に直交する向きの断面を略Ｔ字状とする棒状体によって構成させている。すなわち、前後補助受け部材９は、縦部分９ａと、この縦部分９ａの下端から水平方向に突き出す左右の横部分９ｂ、９ｂとを有している。前後補助受け部材９の後端は奥壁１ａに設けられた受け部材８に組み合わされて固定され、また、前後補助受け部材９の前端は前壁１ｃに設けられた受け部材８に組み合わされて固定されている。図示の例では、右側の前後補助受け部材９は、収納空間１の幅方向略中程の位置Ｓを挟んだ右側において、この中程の位置Ｓと右側の側壁１ｂとの中間となる位置に設けられている。また、左側の前後補助受け部材９は、収納空間１の幅方向略中程の位置Ｓを挟んだ左側において、この中程の位置Ｓと左側の側壁１ｂとの中間となる位置に設けられている。
【００１８】
また、図示の例では、前記左右補助受け部材１０を、その長さ方向に直交する向きの断面を略Ｌ字状とする棒状体によって構成させている。すなわち、左右補助受け部材１０は、縦部分１０ａと、この縦部分１０ａの下端から水平方向に突き出す横部分１０ｂとを有している。左右補助受け部材１０の右端は右側の前後補助受け部材９に組み合わされて固定され、また、左右補助受け部材１０の左端は左側の前後補助受け部材９に組み合わされて固定されている。左右補助受け部材１０の横部分１０ｂは奥壁１ａ側に突き出すように左右補助受け部材１０は配されている。
【００１９】
図示の例では、奥壁１ａと右側の側壁１ｂと前壁１ｃと右側の前後補助受け部材９との間に張り込まれる右側板体７ａと、奥壁１ａと左側の側壁１ｂと前壁１ｃと左側の前後補助受け部材９との間に張り込まれる左側板体７ｂと、奥壁１ａと一対の前後補助受け部材９、９と左右補助受け部材１０との間に張り込まれる奥側板体７ｃとによって、上棚７が構成されている。前壁１ｃと一対の前後補助受け部材９、９と左右補助受け部材１０との間が前記出し入れ開放部１１となっている。各板体７ａ、７ｂ、７ｃは、その縁部を、対応する受け部材８、前後補助受け部材９及び左右補助受け部材１０の横部分８ｂ、９ｂ、１０ｂによって下方から支持される。
【００２０】
この実施の形態にかかる収納構造によれば、前記収納空間１の出し入れ開口３の上方に、前記上棚７によって天袋と同じように利用可能な収納可能箇所を容易かつ適切に備えさせることができる。すなわち、上棚７は受け部材８、前後補助受け部材９及び左右補助受け部材１０によって安定的に支持され、上棚７上への物品の納め入れ、及び納めた物品のそこからの取り出しは、出し入れ開口３側に形成された出し入れ開放部１１を利用して円滑になすことができる。
【００２１】
図５は、前記一対の前後補助受け部材９、９の一方、図示の例では右側の前後補助受け部材９と右側の側壁１ｂとの間に位置される箇所に、さらに追加前後補助受け部材１２を備えさせると共に、上棚７における、この追加前後補助受け部材１２と右側の側壁１ｂとの間に位置される箇所を、上棚７の一部をなす蓋板体（図示は省略する。）によって取り外し可能に閉塞された追加開放部１３とした例を示している。図示は省略するが、さらに左側の前後補助受け部材９と左側の側壁１ｂとの間に位置される箇所に、さらに追加前後補助受け部材を備えさせると共に、上棚７における、この追加前後補助受け部材と左側の側壁１ｂとの間に位置される箇所を、追加開放部とするようにしても良い。
【００２２】
追加前後補助受け部材１２は、その長さ方向に直交する向きの断面を略Ｔ字状とする棒状体によって構成させている。すなわち、追加前後補助受け部材１２は、縦部分１２ａと、この縦部分１２ａの下端から水平方向に突き出す左右の横部分１２ｂ、１２ｂとを有している。追加前後補助受け部材１２の後端は奥壁１ａに設けられた受け部材８に組み合わされて固定され、また、追加前後補助受け部材１２の前端は前壁１ｃに設けられた受け部材８に組み合わされて固定されている。
【００２３】
この図５に示される例のようにした場合、この追加開放部１３を利用して、収納状態において高さを持つ物品の上側を上棚７上に逃してこのような物品を収納空間１の側壁１ｂ側に無理なく納めるようにすることができる。
【００２４】
また、この図５に示される例にあっては、前記追加開放部１３の直下において、側壁１ｂと中間棚６との間に隙間１４を形成させている。中棚の幅寸法は収納空間１の幅寸法よりも小さく、図示の例ではこの中棚の右辺と右側の側壁１ｂとの間に、前記追加開放部１３の幅分の隙間１４が形成されるようにしてある。このようにしておけば、収納状態において収納空間１の底から上棚７までの寸法以上の高さを持つ物品も収納空間１の側壁１ｂ側に無理なく納めることができる。
【符号の説明】
【００２５】
１  収納空間
１ａ  奥壁
１ｂ  側壁
１ｃ  前壁
３  出し入れ開口
６  中間棚
７  上棚
８  受け部材
９  前後補助受け部材
１０  左右補助受け部材
１１  出し入れ開放部
【図１】
0005713630.tif 000002
【図２】
0005713630.tif 000003
【図３】
0005713630.tif 000004
【図４】
0005713630.tif 000005
【図５】
0005713630.tif 000006
【図６】
0005713630.tif 000007